(57)【特許請求の範囲】
【請求項１】
相手側接続対象物を受け容れる受容部を有するハウジングと、
前記受容部内へ突出して前記相手側接続対象物の第１の相手側接触部に接触可能な第１の接触部と、この第１の接触部を支持する弾性変形可能な第１のばね部とを有し、前記ハウジングにその長手方向へ配列保持された複数の第１のコンタクトと、
前記受容部内へ突出して前記相手側接続対象物の第２の相手側接触部に接触可能な第２の接触部と、この第２の接触部を支持する弾性変形可能な第２のばね部とを有し、前記ハウジングにその長手方向へ配列保持された複数の第２のコンタクトと、
前記受容部が前記相手側接続対象物を受け容れたとき前記相手側接続対象物のコンタクト接触方向の位置ずれを抑えるずれ抑制手段とを備え、
前記ハウジングは、前記ハウジングの長手方向へ延びるとともに前記受容部内に突出し、前記相手側接続対象物と嵌合する凸部を有し、
前記第１のコンタクトの前記第１の接触部及び前記第１のばね部は、前記凸部の一面側に配置され、
前記第２のコンタクトの前記第２の接触部及び前記第２のばね部は、前記凸部の他面側に配置され、
前記ずれ抑制手段は、前記凸部の両面に前記受容部内へ突出するように形成された突起部であり、
前記ハウジングの前記相手側接続対象物に対する嵌合方向で、前記第１の接触部と前記第２の接触部と前記突起部とがほぼ同じ位置にある
ことを特徴とするコネクタ。
【請求項２】
相手側接続対象物を受け容れる受容部を有するハウジングと、
前記受容部内へ突出して前記相手側接続対象物の第１の相手側接触部に接触可能な第１の接触部と、この第１の接触部を支持する弾性変形可能な第１のばね部とを有し、前記ハウジングにその長手方向へ配列保持された複数の第１のコンタクトと、
前記受容部内へ突出して前記相手側接続対象物の第２の相手側接触部に接触可能な第２の接触部と、この第２の接触部を支持する弾性変形可能な第２のばね部とを有し、前記ハウジングにその長手方向へ配列保持された複数の第２のコンタクトと、
前記相手側接続対象物が前記第１、第２の接触部のコンタクト接触方向へ所定距離だけ移動可能なように前記受容部が前記相手側接続対象物を受け容れたとき前記相手側接続対象物の前記コンタクト接触方向の位置ずれを抑えるずれ抑制手段とを備え、
前記第１のコンタクトの前記第１の接触部及び前記第１のばね部は、前記ハウジングの前記コンタクト接触方向の一方の内面に配置され、
前記第２のコンタクトの前記第２の接触部及び前記第２のばね部は、前記受容部を介して対向する前記ハウジングの他方の内面に配置され、
前記ずれ抑制手段は、前記両方の内面に前記受容部内へ突出するように形成された突起部であり、
前記ハウジングの前記相手側接続対象物に対する嵌合方向で、前記第１の接触部と前記第２の接触部と前記突起部とがほぼ同じ位置にあり、
前記突起部は、前記第１の接触部と前記第２の接触部とを結ぶ仮想直線のほぼ中間点を中心として前記相手側接続対象物を回転可能にする
ことを特徴とするコネクタ。
【請求項３】
相手側接続対象物を受け容れる受容部を有するハウジングと、
前記受容部内へ突出して前記相手側接続対象物の第１の相手側接触部に接触可能な第１の接触部と、この第１の接触部を支持する弾性変形可能な第１のばね部とを有し、前記ハウジングにその長手方向へ配列保持された複数の第１のコンタクトと、
前記受容部内へ突出して前記相手側接続対象物の第２の相手側接触部に接触可能な第２の接触部と、この第２の接触部を支持する弾性変形可能な第２のばね部とを有し、前記ハウジングにその長手方向へ配列保持された複数の第２のコンタクトと、
前記相手側接続対象物が前記第１、第２の接触部のコンタクト接触方向へ所定距離だけ移動可能なように前記受容部が前記相手側接続対象物を受け容れたとき前記相手側接続対象物の前記コンタクト接触方向の位置ずれを抑えるずれ抑制手段とを備え、
前記第１のコンタクトの前記第１の接触部及び前記第１のばね部は、前記ハウジングの前記コンタクト接触方向の一方の内面に配置され、
前記第２のコンタクトの前記第２の接触部及び前記第２のばね部は、前記受容部を介して対向する前記ハウジングの他方の内面に配置され、
前記ずれ抑制手段は、前記ハウジングに保持され、前記受容部内へ突出するとともに前記受容部を介して前記コンタクト接触方向で対向する２つの突起部を有する金属部材であり、
前記ハウジングの前記相手側接続対象物に対する嵌合方向で、前記第１の接触部と前記第２の接触部と前記突起部とがほぼ同じ位置にあり、
前記突起部は、前記第１の接触部と前記第２の接触部とを結ぶ仮想直線のほぼ中間点を中心として前記相手側接続対象物を回転可能にする
ことを特徴とするコネクタ。
【請求項４】
前記複数の第１、第２のコンタクトは、それぞれ前記ハウジングの長手方向で前記突起部に挟まれている
ことを特徴とする請求項１から３のいずれか１項記載のコネクタ。
【発明の詳細な説明】
【技術分野】
【０００１】
この発明はコネクタに関する。
【背景技術】
【０００２】
従来、レセプタクルコネクタとプラグコネクタとからなるコネクタ装置がある（下記特許文献１参照）。
【０００３】
レセプタクルコネクタは、プラグコネクタを受け容れる受容部を有するレセプタクル側ハウジングと、受容部を介して対向するレセプタクル側ハウジングの両側壁にそれぞれ保持された複数のレセプタクル側コンタクトとを備えている。
【０００４】
レセプタクル側コンタクトは、プラグコネクタのプラグ側接触部に接触可能なレセプタクル側接触部を有する。レセプタクル側接触部は受容部に臨む。
【０００５】
プラグコネクタは、レセプタクルコネクタの受容部に嵌合可能な凸部を有するプラグ側ハウジングと、凸部の両面にそれぞれ保持された複数のプラグ側コンタクトとを備えている。
【０００６】
プラグ側コンタクトは、レセプタクルコネクタのレセプタクル側接触部に接触可能なプラグ側接触部と、このプラグ側接触部を支持する弾性変形可能なプラグ側ばね部とを有する。
【０００７】
プラグ側接触部とプラグ側ばね部とは凸部の両面に形成されたコンタクト収容空間に収容されている。プラグ側接触部の一部はコンタクト収容空間から突出している。
【０００８】
レセプタクルコネクタとプラグコネクタとを嵌合すると、プラグ側コンタクトのプラグ側接触部とレセプタクル側コンタクトのレセプタクル接触部とが接触する。このときプラグコネクのプラグ側ばね部が弾性変形して、プラグ側接触部がプラグ側ばね部のばね力に抗してコンタクト収容空間内に引っ込む。したがって、レセプタクル側接触部とプラグ側接触部との間に接触力が生じ、レセプタクルコネクタとプラグコネクタとが電気的に接続される。
【特許文献１】特開２００５−７１７６９号公報
【発明の開示】
【発明が解決しようとする課題】
【０００９】
レセプタクルコネクタとプラグコネクタとを嵌合したときの両ハウジング間のすき間は小さいので、レセプタクルコネクタとプラグコネクタとを嵌合した後に一方のコネクタが嵌合方向に対して傾くと、ハウジングが損傷するおそれがある。例えば、ノート型ＰＣ（パーソナルコンピュータ）をデスク上のドッキングステーションに接続するとき、ノート型ＰＣの底面の一端部に位置するＰＣ側コネクタの嵌合面とドッキングステーション側コネクタの嵌合面とを対向させたまま、ＰＣ側コネクタをドッキングステーション側コネクタに嵌合させるが、嵌合後、ノート型ＰＣの底面の他端部をデスク上に置くと、ＰＣ側コネクタが嵌合方向に対して傾く。
【００１０】
これを回避するには、両コネクタを嵌合したときの両ハウジング間のすき間を大きくすればよい。
【００１１】
しかし、すきまを単に大きくするだけだと、両コネクタを嵌合したとき、レセプタクル側コネクタの受容部内のプラグ側ハウジングの位置がコンタクト接触方向へずれるので、
プラグ側ハウジングの凸部の一方の面（小さなすき間に臨む面）に配置された第１のプラグ側コンタクトのプラグ側ばね部の変形量は十分大きくなるが、プラグ側ハウジングの凸部の他方の面（大きなすき間に臨む面）に配置された第２のプラグ側コンタクトのプラグ側ばね部の変形量は非常に小さくなる。
【００１２】
その結果、レセプタクル側ハウジングの一方の側壁に配置された第１のレセプタクル側コンタクトのレセプタクル側接触部とプラグ側ハウジングの凸部の一方の面に配置された第１のプラグ側コンタクトのプラグ側接触部との間には十分な接触力が生じるが、レセプタクル側ハウジングの他方の側壁に配置された第２のレセプタクル側コンタクトのレセプタクル側接触部とプラグ側ハウジングの凸部の他方の面に配置された第２のプラグ側コンタクトのプラグ側接触部との間には非常に小さな接触力しか生じない（又は接触力が生じない）という問題が生じる。
【００１３】
この発明はこのような事情に鑑みてなされたもので、その課題は、ハウジングの受容部に嵌合された相手側接続対象物が傾いたときのコンタクトの接触信頼性を確保することができるコネクタを提供することである。
【課題を解決するための手段】
【００１４】
前述の課題を解決するため請求項１の発明のコネクタは、相手側接続対象物を受け容れる受容部を有するハウジングと、前記受容部内へ突出して前記相手側接続対象物の第１の相手側接触部に接触可能な第１の接触部と、この第１の接触部を支持する弾性変形可能な第１のばね部とを有し、前記ハウジングにその長手方向へ配列保持された複数の第１のコンタクトと、前記受容部内へ突出して前記相手側接続対象物の第２の相手側接触部に接触可能な第２の接触部と、この第２の接触部を支持する弾性変形可能な第２のばね部とを有し、前記ハウジングにその長手方向へ配列保持された複数の第２のコンタクトと、前記受容部が前記相手側接続対象物を受け容れたとき前記相手側接続対象物のコンタクト接触方向の位置ずれを抑えるずれ抑制手段とを備え、前記ハウジングは、前記ハウジングの長手方向へ延びるとともに前記受容部内に突出し、前記相手側接続対象物と嵌合する凸部を有し、前記第１のコンタクトの前記第１の接触部及び前記第１のばね部は、前記凸部の一面側に配置され、前記第２のコンタクトの前記第２の接触部及び前記第２のばね部は、前記凸部の他面側に配置され、前記ずれ抑制手段は、前記凸部の両面に前記受容部内へ突出するように形成された突起部であり、前記ハウジングの前記相手側接続対象物に対する嵌合方向で、前記第１の接触部と前記第２の接触部と前記突起部とがほぼ同じ位置にあることを特徴とする。
【００１５】
上述のように、受容部が相手側接続対象物を受け容れたとき相手側接続対象物のコンタクト接触方向の位置ずれを抑えるずれ抑制手段を備えているので、受容部内で相手側接続対象物が傾いても相手側接続対象物のコンタクト接触方向の位置が殆どずれない。
【００１６】
請求項２の発明のコネクタは、相手側接続対象物を受け容れる受容部を有するハウジングと、前記受容部内へ突出して前記相手側接続対象物の第１の相手側接触部に接触可能な第１の接触部と、この第１の接触部を支持する弾性変形可能な第１のばね部とを有し、前記ハウジングにその長手方向へ配列保持された複数の第１のコンタクトと、前記受容部内へ突出して前記相手側接続対象物の第２の相手側接触部に接触可能な第２の接触部と、この第２の接触部を支持する弾性変形可能な第２のばね部とを有し、前記ハウジングにその長手方向へ配列保持された複数の第２のコンタクトと、前記相手側接続対象物が前記第１、第２の接触部のコンタクト接触方向へ所定距離だけ移動可能なように前記受容部が前記相手側接続対象物を受け容れたとき前記相手側接続対象物の前記コンタクト接触方向の位置ずれを抑えるずれ抑制手段とを備え、前記第１のコンタクトの前記第１の接触部及び前記第１のばね部は、前記ハウジングの前記コンタクト接触方向の一方の内面に配置され、前記第２のコンタクトの前記第２の接触部及び前記第２のばね部は、前記受容部を介して対向する前記ハウジングの他方の内面に配置され、前記ずれ抑制手段は、前記両方の内面に前記受容部内へ突出するように形成された突起部であり、前記ハウジングの前記相手側接続対象物に対する嵌合方向で、前記第１の接触部と前記第２の接触部と前記突起部とがほぼ同じ位置にあり、前記突起部は、前記第１の接触部と前記第２の接触部とを結ぶ仮想直線のほぼ中間点を中心として前記相手側接続対象物を回転可能にすることを特徴とする。
【００１７】
請求項３の発明のコネクタは、相手側接続対象物を受け容れる受容部を有するハウジングと、前記受容部内へ突出して前記相手側接続対象物の第１の相手側接触部に接触可能な第１の接触部と、この第１の接触部を支持する弾性変形可能な第１のばね部とを有し、前記ハウジングにその長手方向へ配列保持された複数の第１のコンタクトと、前記受容部内へ突出して前記相手側接続対象物の第２の相手側接触部に接触可能な第２の接触部と、この第２の接触部を支持する弾性変形可能な第２のばね部とを有し、前記ハウジングにその長手方向へ配列保持された複数の第２のコンタクトと、前記相手側接続対象物が前記第１、第２の接触部のコンタクト接触方向へ所定距離だけ移動可能なように前記受容部が前記相手側接続対象物を受け容れたとき前記相手側接続対象物の前記コンタクト接触方向の位置ずれを抑えるずれ抑制手段とを備え、前記第１のコンタクトの前記第１の接触部及び前記第１のばね部は、前記ハウジングの前記コンタクト接触方向の一方の内面に配置され、前記第２のコンタクトの前記第２の接触部及び前記第２のばね部は、前記受容部を介して対向する前記ハウジングの他方の内面に配置され、前記ずれ抑制手段は、前記ハウジングに保持され、前記受容部内へ突出するとともに前記受容部を介して前記コンタクト接触方向で対向する２つの突起部を有する金属部材であり、前記ハウジングの前記相手側接続対象物に対する嵌合方向で、前記第１の接触部と前記第２の接触部と前記突起部とがほぼ同じ位置にあり、前記突起部は、前記第１の接触部と前記第２の接触部とを結ぶ仮想直線のほぼ中間点を中心として前記相手側接続対象物を回転可能にすることを特徴とする。
【００１８】
請求項４の発明は、請求項１から３のいずれか１項記載のコネクタにおいて、前記複数の第１、第２のコンタクトは、それぞれ前記ハウジングの長手方向で前記突起部に挟まれていることを特徴とする。
【発明の効果】
【００２０】
この発明によれば、ハウジングの受容部に嵌合された相手側接続対象物が傾いたときのコンタクトの接触信頼性を確保することができる。
【発明を実施するための最良の形態】
【００２１】
以下、この発明の実施の形態を図面に基づいて説明する。
【００２２】
図１はこの発明の第１実施形態に係るソケット側コネクタの斜視図、図２は図１に示すソケット側コネクタの平面図、図３は図１に示すソケット側コネクタの正面図、図４は図１に示すソケット側コネクタの側面図、図５は図１のＶ−Ｖ線に沿う断面図、図６は図１に示すソケット側コネクタの一端部の拡大図、図７は図５のVII−VII線に沿う断面図、図８は図５のVIII−VIII線に沿う断面図である。
【００２３】
図１、２に示すように、ソケット側コネクタ（コネクタ，レセプタクル側コネクタ）１０１はハウジング１０３と複数の第１のソケット側コンタクト（第１のコンタクト）１０５と複数の第２のソケット側コンタクト（第２のコンタクト）１０７とを備える。
【００２４】
ハウジング１０３は筐体部１３１と凸部１３２とを有する。
【００２５】
筐体部１３１は上面が開口した箱状であり、受容部１３１ａを有する。受容部１３１ａは空間であり、後述するプラグ側コネクタ７０１の一部を受け容れる（図８参照）。受容部１３１ａ内のプラグ側コネクタ７０１が、第１、第２のソケット側コンタクト１０５，１０７の後述する接触部１５１，１７１の接触方向（コンタクト接触方向）へ所定距離だけ移動可能なように、筐体１３１の内面とプラグ側コネクタ７０１のハウジング７０３の外面との間にはそれぞれ隙間Ｇ１，Ｇ１がある（図８参照）。第１実施形態の場合、コンタクト接触方向は、ハウジング１０３の幅方向Ｗ１（図４参照）とほぼ同じである。
【００２６】
凸部１３２はほぼ長板状であり、筐体部１３１の底部に形成され、ハウジング１０３の長手方向Ｌ１（図３参照）に沿って延びている。凸部１３２の一方の面にはハウジング１０３の長手方向Ｌ１に沿って等間隔にコンタクト収容部１３２ａが形成され、隣接するコンタクト収容部１３２ａの間には隔壁１３２ｂが介在する（図７参照）。コンタクト収容部１３２ａの一部は受容部１３１ａに臨み、コンタクト収容部１３２ａの一部はハウジング１０３外の空間に臨む。凸部１３２の他方の面にはハウジング１０３の長手方向Ｌ１に沿って等間隔にコンタクト収容部１３２ｃが形成され、隣接するコンタクト収容部１３２ｃの間には隔壁１３２ｄが介在する。コンタクト収容部１３２ｃの一部は受容部１３１ａに臨み、コンタクト収容部１３１ｃの一部はハウジング１０３外の空間に臨む。
【００２７】
凸部１３２の上部には、傾斜面１３２ｅ，１３２ｆが形成されている（図６，７参照）。
【００２８】
凸部１３２はプラグ側コネクタ７０１のハウジング７０３の凹部７３２に挿入される（図８参照）。傾いて挿入された場合には、凸部１３２の傾斜面１３２ｅ，１３２ｆは凹部７３２の底部７３２ｅに接触する（図１４参照）。また、凸部１３２の両面と凹部７３２の対向する２つの内面との間にはそれぞれ隙間Ｇ２，Ｇ２が生じる（図８参照）。
【００２９】
第１のソケット側コンタクト１０５は接触部（第１の接触部）１５１とばね部（第１のばね部）１５２と保持部１５３と端子部１５４と連結部１５５とを有する（図７参照）。複数の第１のソケット側コンタクト１０５はいずれも同じ大きさであり、同じ形状である。
【００３０】
接触部１５１は第１のソケット側コンタクト１０５の一端部に位置し、ほぼＬ字形に折り曲げられている。
【００３１】
ばね部１５２は接触部１５１に連結され、ほぼＳ字形に折り曲げられ、弾性変形可能である。
【００３２】
保持部１５３はばね部１５２に連結され、直線状に延びている。保持部１５３は隔壁１３２ｂによって挟まれ、保持されている。
【００３３】
端子部１５４は第１のソケット側コンタクト１０５の他端部に位置している。
【００３４】
連結部１５５はほぼクランク状に折り曲げられ、保持部１５３と端子部１５４とを連結している。
【００３５】
第１のソケット側コンタクト１０５の大部分はコンタクト収容部１３２ａに収容されている。接触部１５１の一部はコンタクト収容部１３２ａから受容部１３１ａ内へ突出し、端子部１５４及び連結部１５５はハウジング１０３の底面１０３ａへ引き出されている。
【００３６】
第２のソケット側コンタクト１０７は接触部（第２の接触部）１７１とばね部（第２のばね部）１７２と保持部１７３と端子部１７４と連結部１７５とを有する（図７参照）。複数の第２のソケット側コンタクト１０７はいずれも同じ大きさであり、同じ形状である。また、第２のソケット側コンタクト１０７は第１のソケット側コンタクト１０５と同じ大きさであり、同じ形状である。なお、第１、第２のソケット側コンタクト１０５，１０７のそれぞれの接触部が同じ位置にあればよく、大きさ、形状が同一でなくてもよい。
【００３７】
接触部１７１は第２のソケット側コンタクト１０７の一端部に位置し、ほぼＬ字形に折り曲げられている。
【００３８】
ばね部１７２は接触部１７１に連結され、ほぼＳ字形に折り曲げられ、弾性変形可能である。
【００３９】
保持部１７３はばね部１７２に連結され、直線状に延びている。保持部１７３は隔壁１３２ｄによって挟まれ、保持されている。
【００４０】
端子部１７４は第２のソケット側コンタクト１０７の他端部に位置している。
【００４１】
連結部１７５はほぼクランク状に折り曲げられ、保持部１７３と端子部１７４とを連結している。
【００４２】
第２のソケット側コンタクト１０７の大部分はコンタクト収容部１３２ｃに収容されている。接触部１７１の一部はコンタクト収容部１３２ｃから受容部１３１ａ内へ突出し、端子部１７４及び連結部１７５はハウジング１０３の底面１０３ａへ引き出されている。
【００４３】
凸部１３２の一方の面の上部には、３つの突起部（ずれ抑制手段）１３３が複数の第１のソケット側コンタクト１０５を挟み込むように形成されている（図１、２、５参照）。
【００４４】
凸部１３２の他方の面の上部にも、３つの突起部（ずれ抑制手段）１３３が複数の第２のソケット側コンタクト１０７を挟み込むように形成されている。
【００４５】
突起部１３３の頂部（受容部１３１ａ側へ最も突出した部分）と、第１、第２のソケット側コンタクト１０５，１０７の接触部１５１，１７１の接点１５１ａ，１７１ａとの位置（ハウジング１０３の底面１０３ａを基準にしたハウジング１０３の高さ方向Ｈ１における位置）はほぼ同じである（図７参照）。また、突起部１３３の受容部１３１ａ内への突出量は幅方向Ｗ１において、接点１５１ａ，１７１ａの突出量より小さい（図７参照）。
【００４６】
凸部１３２がプラグ側コネクタ７０１の凹部７３２に挿入されたとき、突起部１３３と凹部７３２の対向する２つの内面との間には、それぞれ小さな隙間Ｇ３，Ｇ３しか生じない（図８参照）。隙間Ｇ３，Ｇ３は隙間Ｇ１，Ｇ１や隙間Ｇ２，Ｇ２よりも狭い。突起部１３３と凸部１３２との働きによって、受容部１３１ａに挿入されたプラグ側コネクタ７０１は接触部１５１，１７１の接点１５１ａ，１７１ａを結ぶ仮想直線のほぼ中間点Ｏ（図１３、１４参照）を回転中心として回転可能である。
【００４７】
図９は図１に示すソケット側コネクタに接続されるプラグ側コネクタの斜視図、図１０は図９に示すプラグ側コネクタの平面図、図１１は図９に示すプラグ側コネクタの正面図、図１２は図９に示すプラグ側コネクタの側面図、図１３は図１に示すソケット側コネクタに図９に示すプラグ側コネクタをまっすぐに嵌合させた状態を示す断面図、図１４は図１３に示すプラグ側コネクタを図１３に示すソケット側コネクタに対して傾けた状態を示す断面図である。
【００４８】
図９、１０に示すように、ソケット側コネクタ１０１の相手側接続対象物であるプラグ側コネクタ７０１はハウジング７０３と複数の第１のプラグ側コンタクト７０５と複数の第２のプラグ側コンタクト７０７とを備える。
【００４９】
ハウジング７０３は一面が開口した箱状であり、凹部７３２を有する。凹部７３２はソケット側コネクタ１０１の凸部１３２を受け容れる（図１３、１４参照）。
【００５０】
ハウジング７０３の凹部７３２の対向する２つの内面のうちの一方の内面にはハウジング７０３の長手方向Ｌ７に沿って等間隔にコンタクト収容部７３２ａが形成され、隣接するコンタクト収容部７３２ａの間には隔壁７３２ｂが介在する（図１０参照）。コンタクト収容部７３２ａの一部は凹部７３２に臨み、コンタクト収容部７３２ａの一部はハウジング７０３外の空間に臨む。
【００５１】
ハウジング７０３の凹部７３２の対向する２つの内面のうちの他方の内面にはハウジング７０３の長手方向Ｌ７に沿って等間隔にコンタクト収容部７３２ｃが形成され、隣接するコンタクト収容部７３２ｃの間には隔壁７３２ｄが介在する。コンタクト収容部７３２ｃの一部は凹部７３２に臨み、コンタクト収容部７３２ａの一部はハウジング７０３外の空間に臨む。
【００５２】
第１のプラグ側コンタクト７０５は接触部（第１の相手側接触部）７５１と端子部７５４と連結部７５５とを有する。複数の第１のプラグ側コンタクト７０５はいずれも同じ大きさであり、同じ形状である。
【００５３】
接触部７５１は直線的に延び、コンタクト収容部７３２ａに収容され、保持されている。
【００５４】
端子部７５４は第１のプラグ側コンタクト７０５の一端部に位置する。
【００５５】
連結部７５５はほぼクランク状に折り曲げられ、接触部７５１と端子部７５４とを連結している。
【００５６】
第２のプラグ側コンタクト７０７は接触部（第２の相手側接触部）７７１と端子部７７４と連結部７７５とを有する。複数の第２のプラグ側コンタクト７０７はいずれも同じ大きさであり、同じ形状である。また、第２のプラグ側コンタクト７０７は第１のプラグ側コンタクト７０５と同じ大きさであり、同じ形状である。なお、第１、第２のプラグ側コンタクト７０５，７０７のそれぞれは、大きさ、形状が同一である必要はなく、それぞれが異なっても良い。
【００５７】
接触部７７１は直線的に延び、コンタクト収容部７３２ｃに収容され、保持されている。
【００５８】
端子部７７４は第２のプラグ側コンタクト７０７の一端部に位置する。
【００５９】
連結部７７５はほぼクランク状に折り曲げられ、接触部７７１と端子部７７４とを連結している。
【００６０】
ソケット側コネクタ１０１とプラグ側コネクタ７０１とを接続するには、ソケット側コネクタ１０１の上方にプラグ側コネクタ７０１を配置し、ハウジング１０３の底面１０３ａとハウジング７０３の底面７０３ａとをほぼ平行な状態にして、プラグ側コネクタ７０１をハウジング１０３の高さ方向Ｈ１に沿って下ろしてソケット側コネクタ１０１に嵌合させる。
【００６１】
ソケット側コネクタ１０１にプラグ側コネクタ７０１を嵌合させる過程で、接触部１５１，１７１はそれぞれ接触部７５１，７７１に接触するとともに、接触部１５１，１７１はそれぞれコンタクト収容部１３２ａ，１３２ｃ内へ少し引き込む。このとき、ばね部１５２，１７２にばね力が生じる。このばね力によって接触部１５１，１７１がそれぞれ接触部７５１，７７１に強く接触する。
【００６２】
以上のようにして、プラグ側コネクタ７０１がソケット側コネクタ１０１に接続される（図１３参照）。
【００６３】
図１３に示す状態から、プラグ側コネクタ７０１を傾けると、プラグ側コネクタ７０１のコンタクト接触方向の動きが突起部１３３によって抑制されるので、コンタクト接触方向のプラグ側コネクタ７０１の位置はほとんど変わらない。このため、接触部１５１の接触部７５１に対する接触力及び接触部１７１の接触部７７１に対する接触力はほとんど変化しない。
【００６４】
図１４に示す如く、コネクタ同士を傾いた状態で接続しても接触するように、接点１５１ａ，１７１ａの受容部１３１ａ内への突出量を設定してある。以上のように、プラグ側コネクタ７０１がソケット側コネクタ１０１に対して傾くように構成しても（隙間Ｇ１，Ｇ１や隙間Ｇ２，Ｇ２を大きくしても）、接触部１５１，１７１の接触部７５１，７７１に対する接触信頼性を確保することができる。
【００６５】
また、プラグ側コネクタ７０１がソケット側コネクタ１０１に対して斜め嵌合しても、ソケット側コネクタ１０１とプラグ側コネクタ７０１とは確実に接続される。
【００６６】
図１５は図１３に示すソケット側コネクタ及びプラグ側コネクタの使用状態を示す概念図、図１６は１５のＡ部の拡大図、図１７は図１３に示すソケット側コネクタ及びプラグ側コネクタの他の使用状態を示す概念図である。
【００６７】
図１５、１６に示すように、第１実施形態のソケット側コネクタ１０１がドッキングステーション８０３の上面に設けられ、プラグ側コネクタ７０１がノート型パソコン８０１の一端部の底面に設けられている。
【００６８】
ノート型パソコン８０１のプラグ側コネクタ７０１をドッキングステーション８０３のソケット側コネクタ１０１に接続するには、まず、ノート型パソコン８０１を水平に保持した状態で、プラグ側コネクタ７０１をソケット側コネクタ１０１の上方に配置して、ノート型パソコン８０１を下ろし、プラグ側コネクタ７０１をソケット側コネクタ１０１に接続し、最後に、ノート側パソコン８０１の他端部をドッキングステーション８０３の設置面８０４におく。このとき、ノート型パソコン８０１は一端部を中心にして回転し、プラグ側コネクタ７０１はソケット側コネクタ１０１に対して傾くが、上述のようにソケット側コネクタ１０１を用いているので、ソケット側コネクタ１０１とプラグ側コネクタ７０１との間で接触不良が生じる虞は少ない。
【００６９】
図１７に示すように、縦寸法がノート型パソコン８０１よりも小さいノート型パソコン８０２の一端部に設けられたプラグ側コネクタ（図示せず）をドッキングステーション８０３のソケット側コネクタ１０１に接続する場合、ノート型パソコン８０２の底面とドッキングステーション８０３の上面とがなす角度βはノート型パソコン８０１の底面とドッキングステーション８０３の上面とがなす角度αよりも大きい。しかし、ソケット側コネクタ１０１では、隙間Ｇ１，Ｇ１、Ｇ２，Ｇ２を大きく設定してあるので、ノート型パソコン８０２の傾きに対応でき、また、ノート型パソコン８０２のコンタクト接触方向の動きが突起部１３３によって抑制され、ソケット側コネクタ１０１とプラグ側コネクタ７０１との間で接触不良が生じる虞は少ない。
【００７０】
図１８は図１の示すソケット側コネクタの変形例のソケット側コネクタの斜視図である。
【００７１】
図１８に示すように、ソケット側コネクタ１０１´は図１に示すソケット側コネクタ１０１の変形例であり、第１実施形態と共通する部分については同一符号を付してその説明を省略する。以下、第１実施形態との主な相違部分についてだけ説明する。
【００７２】
第１の実施形態では、凸部１３２の両面の上部にそれぞれ３つの突起部１３３が形成されているが、ソケット側コネクタ１０１´では、凸部１３２の両面の上部に、それぞれ２つの突起部１３３が形成されている。
【００７３】
この変形例によれば、第１実施形態と同様の作用効果を奏する。
【００７４】
図１９はこの発明の第２実施形態に係るソケット側コネクタの嵌合状態を示す断面図である。第１の実施形態と共通する部分については同一符号を付してその説明を省略する。以下、第１の実施形態との主な相違部分についてだけ説明する。
【００７５】
第１実施形態に係るソケット側コネクタ１０１では、突起部１３３はハウジング１０３の凸部１３２の両面に形成されているが、図１９に示すように、第２実施形態に係るソケット側コネクタ２０１では、突起部２３３はハウジング２０３の筐体部２３１の対向する２つの内面に形成されている。
【００７６】
第２実施形態によれば、第１実施形態と同様の作用効果を奏する。
【００７７】
図２０はこの発明の第３実施形態に係るカードエッジコネクタの斜視図、図２１は図２０に示すカードエッジコネクタの平面図、図２２は図２０に示すカードエッジコネクタの正面図、図２３は図２０に示すカードエッジコネクタの側面図、図２４は図２２のＸＸIV−ＸＸIV線に沿う断面図、図２５は回路基板が挿入された状態での図２２のＸＸＶ−ＸＸＶに沿う断面図、図２６は回路基板が挿入された状態での図２２のＸＸIV−ＸＸIV線に沿う断面図、図２７は回路基板が傾いた状態での図２２のＸＸIV−ＸＸIV線に沿う断面図である。
【００７８】
図２０〜２３に示すように、カードエッジコネクタ（コネクタ）３０１はハウジング３０３と複数の第１のコンタクト３０５と複数の第２のコンタクト３０７とを備える。
【００７９】
ハウジング３０３は受容部３３１を有する。受容部３３１は空間であり、回路基板９０１の一端部を受け容れる（図２５、２６参照）。受容部３３１内の回路基板９０１が、第１、第２のコンタクト３０５，３０７の後述する接触部３５１，３７１の接触方向（コンタクト接触方向）へ所定距離だけ移動可能なように、受容部３３１の対向する２つの内面と回路基板（相手側接続対象物）９０１の一方の面との間にはそれぞれ隙間Ｇ７，Ｇ７がある（図２５、２６参照）。第３実施形態の場合も、コンタクト接触方向はハウジング３０３の幅方向Ｗ３（図２０、２３参照）とほぼ同じである。
【００８０】
受容部３３１の対向する２つの内面の内の一方の内面にはハウジング３０３の長手方向Ｌ３に沿って等間隔にコンタクト収容部３３２ａが形成され、隣接するコンタクト収容部３３２ａの間には隔壁３３２ｂが介在する（図２４参照）。コンタクト収容部３３２ａの一部は受容部３３１に臨み、コンタクト収容部３３２ａの一部はハウジング３０３外の空間に臨む。受容部３３１の対向する２つの内面の内の他方の内面にはハウジング３０３の長手方向Ｌ３に沿って等間隔にコンタクト収容部３３２ｃが形成され、隣接するコンタクト収容部３３２ｃの間には隔壁３３２ｄが介在する。コンタクト収容部３３２ｃの一部は受容部３３１に臨み、コンタクト収容部３３２ｃの一部はハウジング３０３外の空間に臨む。
【００８１】
第１のコンタクト３０５は接触部（第１の接触部）３５１とばね部（第１のばね部）３５２と保持部３５３と端子部３５４と連結部３５５とを有する（図２４、２６参照）。複数の第１のコンタクト３０５はいずれも同じ大きさであり、同じ形状である。
【００８２】
接触部３５１は第１のコンタクト３０５の一端部に位置し、ほぼＪ字形に折り曲げられている。
【００８３】
ばね部３５２は接触部３５１に連結され、直線状に延び、弾性変形可能である。
【００８４】
保持部３５３はばね部３５２に連結され、直線状に延びている。保持部３５３は隔壁３３２ｂによって挟まれ、保持されている。
【００８５】
端子部３５４は第１のコンタクト３０５の他端部に位置している。
【００８６】
連結部３５５はほぼクランク状に折り曲げられ、保持部３５３と端子部３５４とを連結している。
【００８７】
第１のコンタクト３０５の大部分はコンタクト収容部３３２ａに収容されている。接触部３５１の接点３５１ａはコンタクト収容部３３２ａから受容部３３１内へ突出し、端子部３５４及び連結部３５５はハウジング３０３の底面へ引き出されている。
【００８８】
第２のコンタクト３０７は接触部（第２の接触部）３７１とばね部（第２のばね部）３７２と保持部３７３と端子部３７４と連結部３７５とを有する（図２４、２６参照）。複数の第２のコンタクト３０７はいずれも同じ大きさであり、同じ形状である。また、第２のコンタクト３０７は第１のコンタクト３０５と同じ大きさであり、同じ形状である。なお、第１、第２のコンタクト３０５，３０７のそれぞれの接触部が同じ位置にあればよく、大きさ、形状が同一である必要はなく、それぞれが異なっていてもよい。
【００８９】
接触部３７１は第２のコンタクト３０７の一端部に位置し、ほぼＪ字形に折り曲げられている。
【００９０】
ばね部３７２は接触部３７１に連結され、直線状に延び、弾性変形可能である。
【００９１】
保持部３７３はばね部３７２に連結され、直線状に延びている。保持部３７３は隔壁３３１ｄによって挟まれ、保持されている。
【００９２】
端子部３７４は第２のコンタクト３０７の他端部に位置している。
【００９３】
連結部３７５はほぼクランク状に折り曲げられ、保持部３７３と端子部３７４とを連結している。
【００９４】
第２のコンタクト３０７の大部分はコンタクト収容部３３２ｃに収容されている。接触部３７１の一部はコンタクト収容部３３２ｃから受容部３３１内へ突出し、端子部３７４及び連結部３７５はハウジング３０３の底面へ引き出されている。
【００９５】
受容部３３１の対向する２つの内面のうちの一方の内面の上部には、２つの突起部（ずれ抑制手段）３３３が複数の第１のコンタクト３０５を挟み込むように形成されている（図２０、２１、２４参照）。
【００９６】
受容部３３１の対向する２つの内面のうちの他方の内面の上部にも、２つの突起部（ずれ抑制手段）３３３が複数の第２のコンタクト３０７を挟み込むように形成されている。
【００９７】
突起部３３３の頂部（受容部３３１側へ最も突出した部分）と、第１、第２のコンタクト３０５，３０７の接触部３５１，３７１の接点３５１ａ，３７１ａとの位置（ハウジング３０３の底面３０３ａを基準にしたハウジング３０３の高さ方向Ｈ３における位置）はほぼ同じである（図２４参照）。また、突起部３３３の受容部３３１内への突出量は、幅方向Ｗ３において、接点３５１ａ，３７１ａの突出量より小さい（図２４参照）。
【００９８】
回路基板９０１がカードエッジコネクタ３０１の受容部３３１に挿入されたとき、突起部３３３と回路基板９０１の両面との間には、それぞれ小さな隙間Ｇ８，Ｇ８しか生じない（図２５参照）。隙間Ｇ８，Ｇ８は隙間Ｇ７，Ｇ７よりも狭い。突起部３３３と受容部３３１の底部３３１ａとの働きによって、受容部３３１に挿入された回路基板９０１は接触部３５１，３７１の接点３５１ａ，３７１ａを結ぶ仮想直線のほぼ中間点Ｏ（図２６、２７参照）を回転中心として回転可能である。
【００９９】
カードエッジコネクタ３０１に回路基板９０１を接続するには、カードエッジコネクタ３０１の上方に回路基板９０１を配置し、回路基板９０１の先端面９０１ａ（図２６参照）とハウジング３０３の底面３０３ａ（図２６参照）とをほぼ平行な状態にして、回路基板９０１をハウジング３０３の高さ方向Ｈ１に沿って下ろし、カードエッジコネクタ３０１に嵌合させる。
【０１００】
カードエッジコネクタ３０１に回路基板９０１を嵌合させる過程で、接触部３５１，３７１はそれぞれ回路基板９０１の両面に設けられた第１、第２の相手側接触部であるパッド（図示せず）に接触するとともに、接触部３５１，３７１はそれぞれコンタクト収容部３３２ａ，３３２ｃ内へ少し引っ込む。このとき、ばね部３５２，３７２にばね力が生じ、接触部３５１，３７１がそれぞれ回路基板９０１のパッドに強く接触する。
【０１０１】
以上のようにして、回路基板９０１がカードエッジコネクタ３０１に接続される。
【０１０２】
図２６に示す状態から、回路基板９０１を傾けると、回路基板９０１のコンタクト接触方向（第３実施形態もハウジング３０３の幅方向Ｗ３とほぼ平行である）の動きが突起部３３３によって抑制されるので、回路基板９０１の接点３５１ａ，３７１ａで挟まれた部分のコンタクト接触方向の位置はほとんど変わらない。このため、接触部３５１の回路基板９０１のパッドに対する接触力及び接触部３７１の回路基板９０１のパッドに対する接触力はほとんど変化しない。
【０１０３】
以上のように、回路基板９０１がカードエッジコネクタ３０１に対して傾くように構成しても（隙間Ｇ７，Ｇ７を大きくしても）、接触部３５１，３７１の回路基板９０１のパッドに対する接触信頼性を確保することができる。
【０１０４】
また、回路基板９０１がカードエッジコネクタ３０１に対して斜め嵌合しても、カードエッジコネクタ３０１と回路基板９０１とは確実に接続される。
【０１０５】
図２８はこの発明の第４実施形態に係るカードエッジコネクタの断面図、図２９は図２８に示すカードエッジコネクタのずれ抑制部材の斜視図である。
【０１０６】
第４実施形態は第３実施形態とほぼ同様の構成であるので、第１の実施形態との主な相違部分についてだけ説明する。
【０１０７】
第３実施形態に係るカードエッジコネクタ３０１では、ずれ抑制手段である突起部３３３はハウジング３０３の内面に形成されているが、第４実施形態に係るカードエッジコネクタ４０１では、ずれ抑制手段であるずれ抑制部材４０９はハウジング４０３と別体である。
【０１０８】
ハウジング４０３の長手方向の両端部には、それぞれずれ抑制部材収容部４３４が形成されている（図２８参照）。ずれ抑制部材収容部４３４の一部は受容部４３３に臨み、ずれ抑制部材収容部４３４の一部はハウジング４０３外の空間に臨む（図２９参照）。
【０１０９】
ずれ抑制部材４０９は２つのアーム部４９１と連結部４９２と２つの突起部４９３とを有する。２つの突起部４９３は受容部４３３を介して互いに対向する。連結部４９２は２つのアーム部４９１を連結する。２つ突起部４９３はそれぞれアーム部４９１の先端部に設けられている。ずれ抑制部材４０９は金属板を打ち抜いて形成される。ずれ抑制部材４０９はずれ抑制部材収容部４３４に収容され、保持される。
【０１１０】
第４実施形態は第３実施形態と同様の作用効果を奏する。
【０１１１】
図３０はこの発明の第５実施形態に係るカードエッジコネクタの斜視図、図３１は図３０に示すカードエッジコネクタの使用状態を示す断面図である。
【０１１２】
図３０、３１に示すように、カードエッジコネクタ（コネクタ）５０１はハウジング５０３と複数の第１のコンタクト５０５と複数の第２のコンタクト５０７とを備える。
【０１１３】
ハウジング５０３は第１のハウジング部材５０３Ａと第２のハウジング部材５０３Ｂとで構成されている。ハウジング５０３の幅方向Ｗ５の一端部には受容部５３１が形成され、他端部には受容部５３１´が形成されている。受容部５３１，５３１´は空間であり、受容部５３１は回路基板９０１の一端部を受け容れ、受容部５３１´は回路基板（相手側接続対象物）９０２の一端部を受け入れる。受容部５３１内の回路基板９０１が、第１、第２のコンタクト５０５，５０７の後述する接触部５５１，５７１の接触方向（コンタクト接触方向）へ所定距離だけ移動可能なように、受容部５３１を介して対向する第１のハウジング部材５０３Ａの２つの内面と回路基板９０１の両面との間にはそれぞれ隙間Ｇ９，Ｇ９がある。同様に、受容部５３１´内の回路基板９０２が、第１、第２のコンタクト５０５，５０７の後述する接触部５５２，５７２の接触方向（コンタクト接触方向）へ所定距離だけ移動可能なように、受容部５３１´を介して対向する第２のハウジング部材５０３Ｂの２つの内面と回路基板９０２の両面との間にはそれぞれ隙間Ｇ９´，Ｇ９´がある。第５実施形態の場合、コンタクト接触方向はハウジング５０３の高さ方向Ｈ５とほぼ同じである。
【０１１４】
受容部５３１，５３１´を介して対向する第１、第２のハウジング部材５０３Ａ，５０３Ｂのそれぞれの２つの内面には、突起部（ずれ抑制手段）５３３が形成されている。
【０１１５】
回路基板９０１がカードエッジコネクタ５０１の受容部５３１に挿入されたとき、突起部５３３と回路基板９０１の両面との間にはそれぞれ小さな隙間Ｇ１０，Ｇ１０しか生じない。隙間Ｇ１０，Ｇ１０は隙間Ｇ９，Ｇ９よりも狭い。
【０１１６】
同様に、回路基板９０２がカードエッジコネクタ５０１の受容部５３１´に挿入されたとき、突起部５３３と回路基板９０２の両面との間には、それぞれ小さな隙間Ｇ１０´，Ｇ１０´しか生じない。隙間Ｇ１０´，Ｇ１０´は隙間Ｇ９´，Ｇ９´よりも狭い。
【０１１７】
受容部５３１，５３１´を介して対向するハウジング５０３の２つの内面の一方の面にはハウジング５０３の長手方向Ｌ５に沿って等間隔にコンタクト収容部５３２ａが形成され、隣接するコンタクト収容部５３２ａの間には隔壁５３２ｂが介在する。コンタクト収容部５３２ａの一部は受容部５３１に臨み、コンタクト収容部５３２ａの一部は受容部５３１´に臨む。
【０１１８】
受容部５３１，５３１´を介して対向するハウジング５０３の２つの内面の他方の面にはハウジング５０３の長手方向Ｌ５に沿って等間隔にコンタクト収容部５３２ｃが形成され、隣接するコンタクト収容部５３２ｃの間には隔壁５３２ｄが介在する。コンタクト収容部５３２ｃの一部は受容部５３１に臨み、コンタクト収容部５３２ｃの一部は受容部５３１´に臨む。
【０１１９】
第１のコンタクト５０５は接触部（第１の接触部）５５１，５５１´とばね部（第１のばね部）５５３，５５３´と連結部５５５とを有する。複数の第１のコンタクト５０５はいずれも同じ大きさであり、同じ形状である。
【０１２０】
接触部５５１，５５１´は第１のコンタクト５０５の両端部に位置し、ほぼＪ字形に折り曲げられている。
【０１２１】
ばね部５５３，５５３´はそれぞれ接触部５５１，５５１´に連結され、直線状に延び、弾性変形可能である。
【０１２２】
連結部５５５はほぼ直線状に延び、ばね部５５３とばね部５５３´とを連結するとともに隔壁５３２ｂによって保持される。
【０１２３】
第１のコンタクト５０５の大部分はコンタクト収容部５３２ａに収容されている。接触部５５１，５５１´の接点５５１ａ，５５１ａ´はコンタクト収容部５３２ａから受容部５３１，５３１´内へ突出している。
【０１２４】
第２のコンタクト５０７は接触部（第２の接触部）５７１，５７１´とばね部（第２のばね部）５７３，５７３´と連結部５７５とを有する。複数の第２のコンタクト５０７はいずれも同じ大きさであり、同じ形状である。また、第２のコンタクト５０７は第１のコンタクト５０５と同じ大きさであり、同じ形状である。なお、第１、第２のコンタクト５０５，５０７のそれぞれの接触部が同じ位置にあればよく、大きさ、形状が同一である必要はなく、それぞれが異なっていてもよい。
【０１２５】
接触部５７１，５７１´は第２のコンタクト５０７の両端部に位置し、ほぼＪ字形に折り曲げられている。
【０１２６】
ばね部５７３，５７３´はそれぞれ接触部５７１，５７１´に連結され、直線状に延び、弾性変形可能である。
【０１２７】
連結部５７５はほぼ直線状に延び、ばね部５７３とばね部５７３´とを連結するとともに隔壁５５２ｂによって保持される。
【０１２８】
第２のコンタクト５０７の大部分はコンタクト収容部５３２ｃに収容されている。接触部５７１，５７１´の接点５７１ａ，５７１ａ´はコンタクト収容部５３２ｃから受容部５３１，５３１´内へ突出している。
【０１２９】
カードエッジコネクタ５０１には、その両側から回路基板９０１，９０２が接続される。接続動作は第４実施形態と同様であるので、説明を省略する。
【０１３０】
図３２は図３０に示すカードエッジコネクタの他の使用状態を示す断面図である。
【０１３１】
図３１に示すカードエッジコネクタ５０１の使用状態は２つの回路基板９０１，９０２がハウジング５０３の高さ方向Ｈ５で同じ高さにある場合の使用状態であるが、図３２に示すカードエッジコネクタ５０１の使用状態は２つの回路基板９０１，９０２はハウジング５０３の高さ方向Ｈ５でずれている場合の使用状態である。
【０１３２】
このように、回路基板９０１，９０２が第１、第２コンタクト５０５，５０７のコンタクト接触方向（ハウジング５０３の高さ方向Ｈにほぼ等しい）でずれていても、カードエッジコネクタ５０１は、回路基板９０１，９０２同士を接続することができる。
【０１３３】
第５実施形態によれば、第４実施形態と同様の作用効果を奏するとともに、コンタクト接触方向の回路基板９０１，９０２のずれを吸収することができる。
【０１３４】
なお、上述の実施形態はソケット側コネクタやカードエッジコネクタであるが、この発明はソケット側コネクタやカードエッジコネクタ以外のコネクタにも適用することができる。
【０１３５】
また、上述の実施形態のコネクタの相手側接続対象物は、プラグ側コネクタ７０１や回路基板９０１，９０２であるが、相手側接続対象物としてはこれらに限られず、例えばカード型電子装置等も考えられる。
【図面の簡単な説明】
【０１３６】
【図１】図１はこの発明の第１実施形態に係るソケット側コネクタの斜視図である。
【図２】図２は図１に示すソケット側コネクタの平面図である。
【図３】図３は図１に示すソケット側コネクタの正面図である。
【図４】図４は図１に示すソケット側コネクタの側面図である。
【図５】図５は図１のＶ−Ｖ線に沿う断面図である。
【図６】図６は図１に示すソケット側コネクタの一端部の拡大図である。
【図７】図７は図５のVII−VII線に沿う断面図である。
【図８】図８は図５のVIII−VIII線に沿う断面図である。
【図９】図９は図１に示すソケット側コネクタに接続されるプラグ側コネクタの斜視図である。
【図１０】図１０は図９に示すプラグ側コネクタの平面図である。
【図１１】図１１は図９に示すプラグ側コネクタの正面図である。
【図１２】図１２は図９に示すプラグ側コネクタの側面図である。
【図１３】図１３は図１に示すソケット側コネクタに図９に示すプラグ側コネクタをまっすぐに嵌合させた状態を示す断面図である。
【図１４】図１４は図１３に示すプラグ側コネクタを図１３に示すソケット側コネクタに対して傾けた状態を示す断面図である。
【図１５】図１５は図１３に示すソケット側コネクタ及びプラグ側コネクタの使用状態を示す概念図である。
【図１６】図１６は１５のＡ部の拡大図である。
【図１７】図１７は図１３に示すソケット側コネクタ及びプラグ側コネクタの他の使用状態を示す概念図である。
【図１８】図１８は図１の示すソケット側コネクタの変形例のソケット側コネクタの斜視図である。
【図１９】図１９はこの発明の第２実施形態に係るソケット側コネクタの嵌合状態を示す断面図である。
【図２０】図２０はこの発明の第３実施形態に係るカードエッジコネクタの斜視図である。
【図２１】図２１は図２０に示すカードエッジコネクタの平面図である。
【図２２】図２２は図２０に示すカードエッジコネクタの正面図である。
【図２３】図２３は図２０に示すカードエッジコネクタの側面図である。
【図２４】図２４は図２２のＸＸIV−ＸＸIV線に沿う断面図である。
【図２５】図２５は回路基板が挿入された状態での図２２のＸＸＶ−ＸＸＶに沿う断面図である。
【図２６】図２６は回路基板が挿入された状態での図２２のＸＸIV−ＸＸIV線に沿う断面図である。
【図２７】図２７は回路基板が傾いた状態での図２２のＸＸIV−ＸＸIV線に沿う断面図である。
【図２８】図２８はこの発明の第４実施形態に係るカードエッジコネクタの断面図である。
【図２９】図２９は図２８に示すカードエッジコネクタのずれ抑制部材の斜視図である。
【図３０】図３０はこの発明の第５実施形態に係るカードエッジコネクタの斜視図である。
【図３１】図３１は図３０に示すカードエッジコネクタの使用状態を示す断面図である。
【図３２】図３２は図３０に示すカードエッジコネクタの他の使用状態を示す断面図である。
【符号の説明】
【０１３７】
１０１  ソケット側コネクタ（コネクタ）
１０３，２０３  ハウジング
１３１ａ  受容部
１３２  凸部
１３３  突起部
１０５  第１のソケット側コンタクト（第１のコンタクト）
１５１  接触部（第１の接触部）
１５２  ばね部（第１のばね部）
１０７  第２のソケット側コンタクト（第２のコンタクト）
１７１  接触部（第２の接触部）
１７２  ばね部（第２のばね部）
７０１  プラグ側コネクタ（相手側接続対象物）
７５１  接触部（第１の相手側接触部）
７７１  接触部（第２の相手側接触部）
３０１，４０１，５０１  カードエッジコネクタ（コネクタ）
３０３，４０３，５０３  ハウジング
３３１，５３１Ａ，５３１Ｂ  受容部
３３３，５３３  突起部（ずれ抑制手段）
４０９  抑制部材（ずれ抑制手段）
３０５，５０５  第１のコンタクト
３５１，５５１，５５１´  接触部（第１の接触部）
３５２，５５３，５５３´  ばね部（第１のばね部）
３７１，５７１，５７１´  接触部（第２の接触部）
３７２，５７３，５７３´  ばね部（第２のばね部）
９０１，９０２  回路基板（相手側接続対象物）
【図１】
0004471998.tif 000002
【図２】
0004471998.tif 000003
【図３】
0004471998.tif 000004
【図４】
0004471998.tif 000005
【図５】
0004471998.tif 000006
【図６】
0004471998.tif 000007
【図７】
0004471998.tif 000008
【図８】
0004471998.tif 000009
【図９】
0004471998.tif 000010
【図１０】
0004471998.tif 000011
【図１１】
0004471998.tif 000012
【図１２】
0004471998.tif 000013
【図１３】
0004471998.tif 000014
【図１４】
0004471998.tif 000015
【図１５】
0004471998.tif 000016
【図１６】
0004471998.tif 000017
【図１７】
0004471998.tif 000018
【図１８】
0004471998.tif 000019
【図１９】
0004471998.tif 000020
【図２０】
0004471998.tif 000021
【図２１】
0004471998.tif 000022
【図２２】
0004471998.tif 000023
【図２３】
0004471998.tif 000024
【図２４】
0004471998.tif 000025
【図２５】
0004471998.tif 000026
【図２６】
0004471998.tif 000027
【図２７】
0004471998.tif 000028
【図２８】
0004471998.tif 000029
【図２９】
0004471998.tif 000030
【図３０】
0004471998.tif 000031
【図３１】
0004471998.tif 000032
【図３２】
0004471998.tif 000033